(57)【特許請求の範囲】
【請求項１】
カバーと内部要素とを備える容器用安全クロージャであって、前記内部要素は、拘束部によって、および被覆部によって、形成され、前記被覆部は、使用後に再び容器に置かれることができるプレートの機能を有し、前記被覆部と前記拘束部とは、少なくとも第１の選択的破断帯域によって少なくとも部分的に相互接続され、第１の選択的破断帯域は、損傷を受けていないときに、それらを互いにつなぎ、前記拘束部には、前記クロージャが関連付けられるよう意図された容器のネックでのブロック手段と、前記カバーを取り外し可能に取り付ける第１の拘束手段と、が設けられ、前記内部要素はシール手段を有し、前記シール手段は、少なくともシールが損傷を受けていないときに、容器の中身の完全性を保護し、
前記内部要素は、プラスチックの射出成形によって一体成形で作られている、クロージャ。
【請求項２】
請求項１のクロージャであって、前記内部要素は、第１および第２の選択的破断帯域によって、それぞれ、前記被覆部と前記拘束部とにつながれた取り外し可能なシールを備える、クロージャ。
【請求項３】
請求項１のクロージャであって、前記シール手段は、前記被覆部に位置する、および／または、前記シール手段は、環状リップを備え、前記環状リップは、前記被覆部から突出し、前記クロージャが関連付けられるよう意図された前記容器の口の内部エッジと協働するように適合化される、クロージャ。
【請求項４】
請求項１〜３のいずれか１項に記載のクロージャであって、前記被覆部は、環状溝を有し、前記環状溝は、前記被覆部が前記容器にあるときに、前記被覆部と前記容器との間の相互センタリングのために前記容器の自由エッジと協働するように適合化される、および／または、前記被覆部は、前記容器とのおよび／または前記拘束部との取り外し可能なアンカー手段を有する、および／または、前記取り外し可能なアンカー手段は、少なくとも１つのエッジを備え、前記エッジは、前記容器におよび／または前記拘束部に適切に位置するフランジとアンダーカットで協働するように適合化される、クロージャ。
【請求項５】
請求項１〜４のいずれか１項に記載のクロージャであって、前記ブロック手段は、スナップ係合での、移動不可能なアンダーカットタイプである、および／または、前記ブロック手段は、前記容器と前記拘束部との間にねじれ連結手段を有する、クロージャ。
【請求項６】
請求項５のクロージャであって、前記ねじれ連結手段は、前記容器で得られる凹部または突出部と協働する突出部または凹部を有する、クロージャ。
【請求項７】
請求項１〜６のいずれか１項に記載のクロージャであって、取り外し可能な拘束手段は、前記カバーに位置する対応する反対のねじ山と協働するように適合化されたねじ山を備える、クロージャ。
【請求項８】
クロージャ‐容器システムであって、請求項１〜７のいずれか１項に記載のクロージャが位置する容器を備える、クロージャ‐容器システム。
【請求項９】
請求項４を引用する請求項８のシステムであって、前記容器は、前記アンカー手段との結合のための環状突起を有する、および／または、前記環状突起には、前記拘束部の突出部または凹部を収容するための凹部または突出部が設けられている、システム。
【発明の詳細な説明】
【技術分野】
【０００１】
本発明は、容器用安全クロージャに関する。
【０００２】
特に、化粧品（とりわけクリーム、メークアップ製品、医療用品、薬品など）の容器に使用されるクロージャに関する。
【背景技術】
【０００３】
知られているように、クリームは、使用者の指によって中身を直接取り出せるようにする非常に大きな口を有する特定の容器に入っている。このため、クリーム容器は、あまり高くないが、とても幅が広い。それらは、容器に螺合するカバーを通常有する。開ける前に製品の完全性を確保するために、アルミニウムシートがカバーの下に設けられ、それは、容器の口に密封的に固定され、クリームの最初の使用の前に取り除かれる。アルミニウムシートは、製品の完全性を確保する。
【０００４】
通常、アルミニウムシートは、部分的にのみ口から引き離され、使用が終わったら、クリームの表面に再び広げられ、その後カバーが置かれる。それによって、クリーム自体で、クリームに面するカバーの面を汚さないようにする試みが行われる。しかしながら、使用の後、アルミホイルは、容器の中で巻き上がり、クリームで汚され、それはその後カバーにも移され、こうして好ましくないおよび乱れた状況を作り出す。
【０００５】
他の化粧品（例えばフェースパウダーまたはコンパクト粉末化粧品など）は、製品上に配置される剛性または透明プラスチックディスクを含んでいる容器に入っており、そのディスクは、製品に直接接触して置かれる、または開口部の縁に乗せられる。解決策は、先のものと比べて秩序性の観点から確かに良くなっている。しかしながら、製品の完全性をこのシステムで確保できない。
【発明の概要】
【発明が解決しようとする課題】
【０００６】
本発明の目的は、現在知られているものに対して改善された容器用クロージャを提供することである。
【０００７】
本発明のさらなる目的は、使用者が製品の完全性をチェックできる安全クロージャを提供することである。
【０００８】
本発明のさらなる目的は、最初に開けた後も最も良い形で、その中に含まれている製品を保護できるクロージャを提供することであり、こうして容器カバーをその中に含まれている製品の汚染から保護する。
【０００９】
本発明のさらなる目的は、容器が充填されたら、容器へクロージャを固定する動作を早めるおよび容易にする、クロージャを提供することである。
【課題を解決するための手段】
【００１０】
このおよび他の目的は、添付の請求項の技術的教示に従って提供されるクロージャによって達成される。
【００１１】
本発明のさらなる特徴および利点は、添付図面を用いて非限定的例として開示された、装置の好ましいが限定的でない実施形態の記載から、より明らかになる。
【図面の簡単な説明】
【００１２】
【図１】初めて開けられるステップでの、本発明によるクロージャの一部と関連する容器の斜視図である。
【図２】図４の線２‐２に沿った、図１の容器の直径断面である。
【図３】図１の円で囲まれた細部の拡大断面図である。
【図４】図２の線４‐４に沿った断面である。
【図５】本発明のクロージャが適用される、図１の容器の部分断面である。
【図６】図４の線６‐６に沿った断面である。
【図７】拡大された、図６の円で囲まれた細部を示す。
【図８】完全に開いた構成での本発明のクロージャを示す。
【図９】永久的に閉じる前の容器に含まれる製品を保護するように適合化された中間構成の本発明のクロージャを示す。
【図１０】本発明によるクロージャの一部の斜視下面図を示す。
【図１１】図１０に示されている一部の上面図である。
【図１２】本発明によるクロージャの異なる実施形態の部分と関連する容器の直径断面である。
【図１３】図１２の円で囲まれた細部の拡大である。
【図１４】図１２で部分的に描かれた、完全なクロージャと関連するジャーの部分断面図である。
【図１５】本発明の異なる実施形態の詳細の拡大断面図である。
【発明を実施するための形態】
【００１３】
言及された図に関し、全体として符号１で示された、クロージャが示されている。
【００１４】
図５の安全クロージャは、カバー３および内部要素４を備える容器２に位置し、それは図１，２および３にはっきりと見られる。
【００１５】
内部要素４は、例えば、ＰＰ、ＰＥ、ＬＤＰＥ、ＨＤＰＥ、ＴＰＥ、ゴム、ＰＥ搭載ゴム、ＰＰ搭載ゴム、の中から選択されたプラスチックの射出成形によって一体成形で作られ、環状の拘束部５および実質的に円盤状の被覆部６を備え、それらは、取り外し可能なシール７に少なくとも部分的に相互接続され、それは、手付かずのときに、それらを互いにつなぐ（図３）。
【００１６】
そのシールは、拘束部５におよび被覆部６に、第１の７Ｂおよび第２の７Ｃ選択的破断帯域によって、それぞれつながれる。記載されている実施形態では、選択的破断帯域７Ｂ，７Ｃは、内部要素が作られているプラスチックを薄くすることによって作られるが、明らかに小さい切り目が固体部分で１つおきになる破断線を提供することも可能である。
【００１７】
図７の詳細では、拘束部には、クロージャが関連付けられるよう意図された容器２のネックでのブロック手段が設けられる。特に、拘束部は、アンダーカットで係合し、容器のネックでカチッと閉まり、従って特に容器のネックに作られた環状突起２Ａと係合する。
【００１８】
それらの構成の結果として、ブロック手段は、従って、スナップ係合での、移動不可能なアンダーカットタイプである。内部要素が容器のネックに押し込まれるとき、拘束要素５に作られたその歯５Ａ（実際は一様に不連続な環状エッジ）は、容器の環状突起２Ａ上でスライドし、その下のアンダーカットでカチッと閉まる。
【００１９】
本明細書では、「移動不可能」という用語は、拘束要素５が容器２と結合したら、それは「通常」使用中に容器２からもはや分離されることができないということを、意味する。明らかに、容器２および拘束要素５は、てこを使うことによってまたは拘束要素５に力を及ぼすことによって分離されてよく、その力は、通常使用中に作用する力よりも大きい。
【００２０】
図４の断面で理解されるように、容器２の環状突起２Ａは、凹部９を有し、凹部９には拘束要素５の突出部９が収容される。明らかに、突起は、突出部も有してよく、拘束要素は、凹部を有してよい。いずれの場合でも、凹部および突出部は、容器と拘束部との間にねじれ連結手段を形成し、拘束部と容器とが連結されたら、拘束部５が、容器に対して回転できないようになっている。
【００２１】
実際、拘束部にねじ山１０があり、それはカバー３用の取り外し可能な拘束手段の機能を果たし、それは実際その表面に螺合する。
【００２２】
注目すべきは、内部要素４がシール手段１２を有することであり、それは主に、容器の中身自体（それは、クリーム、ペーストまたはパウダーの形の化粧用メークアップ製品、ジェル、ファンデーション、ピルまたはタブレットの形の医薬製品または栄養補助食品、であり得る）が、内部要素４がその表面に位置し、シール７が損傷を受けていないときに、漏れるのを防ぐ。容器の中身は、こうしてクロージャによって保護される。
【００２３】
シール手段は、外気が容器の内部に侵入するのを、その中に含まれている製品が傷みやすいまたは周囲空気から保護される必要があるならば、防ぐこともできる。
【００２４】
図３にはっきりと示されているように、シール手段は、被覆部６に有利に位置し、特に環状リップ１２を備え、環状リップ１２は、被覆部から突出し、容器２の口の内部エッジと協働するように適合化される。
【００２５】
しかしながら、シール手段は、明らかに拘束部と被覆部との間に直接位置してもよい。このようにしても、実際に、それらは、容器２の中身を保護できる。
【００２６】
図２は、少なくともシール７が損傷を受けていないときに、内部要素４が、容器２に含まれている製品の完全性および原物性を保証することを、示す。
【００２７】
注目すべきは、被覆部６が環状溝１３を有することであり、環状溝１３は、被覆部と容器との間の相互センタリングのために容器の自由エッジ１４と協働するように適合化される。そのようなセンタリングの有用性は、以下で明らかにされる。
【００２８】
被覆部６は、容器との取り外し可能なアンカー手段を有利に有し、それは、例えばエッジ１５（また不連続）を備え、エッジ１５は、特に前記の容器に設けられたフランジ１６とアンダーカットで協働するように適合化される。
【００２９】
明らかに、取り外し可能なアンカー手段は、拘束部５（それは容器と一体であるので）と被覆部６との間に代替的に設けられてよい。
【００３０】
本発明の操作は、上記から当業者に明らかであり、それは、実質的に以下の通りである。
【００３１】
容器２の空洞１８は、事前に製品２０で充填される。内部要素４は、その後、歯５Ａが環状突起２Ａの下でカチッと閉まるまで、容器の口に押し付けられ、こうして容器２のネックで内部要素をブロックする。
【００３２】
環状リップ１２は、容器２の口の内側に部分的に入り込み、その内面に対するシールを提供することによって実際にそれをシールする。
【００３３】
空気に敏感でない製品の場合、環状リップは、製品を、容器から漏出するのを防ぐという意味で、簡単に保護することができる。
【００３４】
注目すべきは、内部要素４が、突起の凹部８が内部要素の（および特に拘束要素５の）突出部９と対応するように、予め位置合わせされたことである。
【００３５】
カバー３は、その後、内部要素に、またはより良く拘束要素５のねじ山１０に、螺合する。
【００３６】
使用者が製品２０を使用することを望むとき、彼／彼女は、カバー３を回して開け、こうして図１の構成になる。この時点で、彼／彼女は、シール７の自由端（またはタブ）７Ａをつかみ、容器周りの回転運動でそれを引き、こうして、シールを拘束部５からおよび被覆部６から切り離す。
【００３７】
従って、シール７がもはや存在しないことが注目される図９に示されている構成が得られ、拘束部と被覆部とは、物理的に分けられる（選択的破断帯域がシール７が切り離されることを可能にしたので）。
【００３８】
使用者は、従って被覆部６に成形された可撓性脚部２２をつかみ、こうして容器から被覆部６を持ち上げる。示されている実施形態では、脚部２２に最小の力を及ぼす必要がある。閉止部を容器から離すように、エッジ１５は、フランジ１６から外されなければならないからである。実際は、この操作はとても簡単である。フランジ／エッジ結合が、閉止部が容器２にあるときに所定の位置にとどまることができるようにしながら、２つの部分の簡単な切り離しを可能にするように、寸法が正確に定められるからである。
【００３９】
従って、使用者は、容器の空洞１８に直接アクセスできる（図８）。
【００４０】
製品２０の使用が終わると、被覆部６（今度はプレートの機能を果たす）は、再び容器２に置かれることができ、カバー３は、容器を永久的に閉じるように螺合することができ、こうしてその中の製品を保護する。
【００４１】
注目すべきは、記載されたようなクロージャ１が、最終使用者に、容器が損傷を受けておらず、使用される前に開けられなかったことを、保証することである。実際に、内部要素４は、容器が充填されたら、スナップ嵌合によるクロージャシステムによって、容器のネックに組み付けられる。
【００４２】
使用者の目には、容器の外側は、全体に伝統的な外観を有する。
【００４３】
クロージャは、容器の内側に面する被覆部６の部分に、例えばフィルム式の、インジケーター２３を有し、それは、空気露出時間に従って外観を変える。従って、インジケーターは、フィルムの、および従って中身の、空気露出時間の表示を提供する。これは、製品完全性のさらなる表示としても役立つことができ、製品の有効期限との関連で使用されることができる。
【００４４】
内部要素４は、明らかに剛性プラスチックまたはガラス容器に適用されることができ、一方、カバー３は、純粋に美的機能を果たす。カバー３は、拘束要素で得られる機械的止め具を有してよく、それは、非円形部分を含むパッケージング構成で容器の本体とカバーとの間の整合を促進および／または保証する。
【００４５】
記載のクロージャは、軽量、剛性容器に明らかに組み付けられることができ、この構成で高価な容器および製品のリフィル機能を得ることができる。さらに、輸送節約が、リフィルの解決策でガラス容器または同種のものの場合に減少した重量によって保証される。この解決策では、容器は、使用される材料および重量の減少による結果としての輸送節約でのより高価な容器用のリフィルとして販売されてよい。
【００４６】
使用者は、製品が完成したら、高価な容器を購入することができ、彼／彼女は、シールされた容器を新しい製品と共に家に送ることができ、こうしてカバーおよび外部容器を保つ。
【００４７】
さらに、この技術では、高付加価値を有する容器が基準市場で作られてよく、原産地表示シールだけを有する容器の輸送が行われてよい。
【００４８】
注目すべきは、上記のクロージャが、容器を充填するステップを非常に容易にすることである。それは、「スナップ」クロージャシステムを導入し、こうして螺合ステップをなくすからである。
【００４９】
「スナップ」クロージャは、スクリュークロージャよりも速くて安全であり、一定の閉じ力および高さを保証する。スクリュークロージャは、使用されるシール要素の厚さおよび材料に応じて、異なる閉じトルクで締められなければならない。
【００５０】
代わりに、容器に置かれたときに、記載されているクロージャは、容器に「スナップ」するとすぐに、シール効果を保証する。
【００５１】
寸法公差が確保されない剛性容器の場合、部品（レデューサー）Ｒが、スナップ嵌合ステップの前に容器の口に導入されてよく（図１５参照）、それは実際、容器の口を囲み、それを定めるエッジに固定される、リングである。そのような部品は、容器のシール効果を促進するように、ネックの高さおよび直径を調整する機能を発揮する。
【００５２】
内部要素４がスナップ嵌合するとき、レデューサーは、容器と内部要素自体との間に挟まれたままである。
【００５３】
図１２‐１４は、本発明の異なる実施形態を示す。かかる図では、先に使用された同じ符号が、機能的に同様の部分を表示するのに使用され、その説明は繰り返さない。
【００５４】
本発明の代替実施形態によると、被覆部６は環状溝を有し、環状溝は、上記のものよりも幅が広く、エッジ１５から免れ、フランジに結合する。
【００５５】
実際に、閉止部が容器に置かれるときに、それは、容器の自由エッジに簡単にとどまる。
【００５６】
本発明の様々な実施形態が記載されたが、同じ革新的発想を利用することによって、より多くを思い付くことができる。
【００５７】
従って、例えば、取り外し可能なシールがないクロージャが設けられてよく、それにおいては、被覆部６と拘束部５とは、選択的破断帯域または部分によって直接接続される。この場合、容器を開けるために、閉止部に作用し、それを拘束部から離し、こうして選択的破断帯域を破断すればよい。
【図１】
0006588469.tif 000002
【図２】
0006588469.tif 000003
【図３】
0006588469.tif 000004
【図４】
0006588469.tif 000005
【図５】
0006588469.tif 000006
【図６】
0006588469.tif 000007
【図７】
0006588469.tif 000008
【図８】
0006588469.tif 000009
【図９】
0006588469.tif 000010
【図１０】
0006588469.tif 000011
【図１１】
0006588469.tif 000012
【図１２】
0006588469.tif 000013
【図１３】
0006588469.tif 000014
【図１４】
0006588469.tif 000015
【図１５】
0006588469.tif 000016